(57)【要約】【課題】入力端子部のアナログ外部ビデオ信号のデジタル処理に必要なＡ／Ｄ変換が専用のデコーダを設けないで行なえるようにしてテレビ受信装置の部品点数を少なくする。【解決手段】デジタルチューナ３Ａの受信復調出力を停止し、デジタルチューナ３Ａの受信放送に代えて外部入力の表示出力を行なう表示出力状態時に、信号選択部１０Ａにより、デジタルチューナ３Ａの受信復調出力に代えて入力端子部１１のアナログ外部ビデオ信号を共用デコーダ７Ａに入力し、アナログ外部ビデオ信号を共用デコーダ７Ａによってデジタルビデオ信号にＡ／Ｄ変換し、デジタルチューナ３Ａから出力された前記デジタルビデオ信号をデジタル表示処理回路部１２でデジタル処理してディスプレイ装置１３の表示駆動出力を形成する。【選択図】図１
2008211297.tif 000002
【特許請求の範囲】
【請求項１】
受信部に、デジタル放送の受信復調出力をデジタルビデオ信号に復号し、アナログ放送の受信復調出力をデジタルビデオ信号にＡ／Ｄ変換する共用デコーダを内蔵し、受信チャンネルのデジタル放送又はアナログ放送のデジタルビデオ信号を出力するデジタルチューナを備え、前記受信部の後段の映像処理部に、アナログ外部ビデオ信号の入力端子部と、前記デジタルチューナの受信復調出力の前記共用デコーダへの入力が停止する表示出力状態時に前記両放送の受信復調出力に代えて前記入力端子部の前記アナログ外部ビデオ信号を前記共用デコーダに入力し、前記アナログ外部ビデオ信号をデジタルビデオ信号にＡ／Ｄ変換して前記デジタルチューナから出力させる信号選択部と、前記デジタルチューナの出力信号が前記信号選択部を通って入力され、前記出力信号をデジタル処理してディスプレイ装置の表示駆動出力を形成するデジタル表示処理回路部とを備えたことを特徴とするテレビ受信装置。
【請求項２】
受信部に、デジタル放送の受信復調出力をデジタルビデオ信号に復号し、アナログ放送の受信復調出力をデジタルビデオ信号にＡ／Ｄ変換する共用デコーダを内蔵し、受信チャンネルのデジタル放送又はアナログ放送のデジタルビデオ信号を出力するデジタルチューナと、アナログ放送を受信復調してアナログ復調ビデオ信号を出力するアナログチューナとを備え、前記受信部の後段の映像処理部に、アナログ外部ビデオ信号の入力端子部と、少なくとも前記アナログ復調ビデオ信号をデジタルビデオ信号にＡ／Ｄ変換して出力する第二のデコーダと、前記デジタルチューナの受信復調出力の前記共用デコーダへの入力が停止して前記アナログチューナの受信放送と前記アナログ外部ビデオ信号に基づく外部入力との２画面を表示する表示出力状態時に、前記入力端子部の前記アナログ外部ビデオ信号を前記共用デコーダに入力し、外部入力のデジタルビデオ信号にＡ／Ｄ変換して前記デジタルチューナから出力させると共に、前記アナログチューナの前記アナログ復調ビデオ信号を前記第二のデコーダに入力し、受信放送のデジタルビデオ信号にＡ／Ｄ変換して前記第二のデコーダから出力させる信号選択部と、少なくとも前記２画面を表示する表示出力状態時に、前記第二のデコーダの受信放送の出力信号と前記信号選択部を通った前記デジタルチューナの外部入力の出力信号とをデジタル処理して合成し、前記ディスプレイ装置の２画面表示の表示駆動出力を形成するデジタル表示処理回路部とを備えたことを特徴とするテレビ受信装置。
【請求項３】
前記デジタルチューナの受信復調出力の前記共用デコーダへの入力が停止して前記アナログ外部ビデオ信号に基づく外部入力の１画面を表示する表示出力状態時に、前記信号選択部により前記入力端子部の前記アナログ外部ビデオ信号を前記共用デコーダに入力して外部入力のデジタルビデオ信号にＡ／Ｄ変換し、前記信号選択部を通った前記デジタルチューナの外部入力の出力信号を前記デジタル表示処理回路部によりデジタル処理して前記ディスプレイ装置の１画面表示の表示駆動出力を形成するようにしたことを特徴とする請求項２記載のテレビ受信装置。
【請求項４】
前記デジタルチューナの受信放送と前記アナログ外部ビデオ信号に基づく外部入力との２画面を表示する表示出力状態時に、前記信号選択部により前記入力端子部の前記アナログ外部ビデオ信号を前記第二のデコーダに入力してデジタルビデオ信号にＡ／Ｄ変換し、前記信号選択部を通った前記デジタルチューナの受信放送の出力信号と前記第二のデコーダの外部入力の出力信号とを前記デジタル表示処理回路部に入力し、前記デジタル表示処理回路部により前記デジタルチューナの受信放送の出力信号と前記第二のデコーダの外部入力の出力信号とをデジタル処理して合成し、前記ディスプレイ装置の２画面表示の表示駆動出力を形成するようにしたことを特徴とする請求項２又は３に記載のテレビ受信装置。
【発明の詳細な説明】
【技術分野】
【０００１】
本発明は、受信したデジタル放送、アナログ放送のテレビ信号の受信復調出力及び、外部入力のアナログビデオ信号をデジタル的に処理し、ディスプレイ装置の表示駆動出力を形成するテレビ受信装置に関し、詳しくは、外部入力の前記アナログビデオ信号のＡ／Ｄ変換の改良に関する。
【背景技術】
【０００２】
従来、この種のテレビ受信装置には、液晶ディスプレイやプラズマディスプレイ等の薄型のディスプレイ装置が組み込まれたテレビジョン受信機等のディスプレイ装置一体型のものや、ＤＶＤプレーヤ等の映像再生成装置やＤＶＤレコーダ等の映像記録装置に組み込まれたディスプレイ装置別体型のものがあるが、いずれの構成の場合も、受信部が備えるチューナのデジタル放送及びアナログ放送の受信復調出力を、それぞれ例えばＹ、Ｃｒ、Ｃｂのコンポーネントのデジタルビデオ信号にデコード処理し、それらのデジタルビデオ信号をデジタル処理して前記ディスプレイ装置の表示駆動出力を形成する。
【０００３】
この場合、チューナの受信チャンネルのデジタル放送の受信復調出力（デジタル受信復調出力）、アナログ放送の受信復調出力（アナログ受信復調出力）は、一般的には別個のデコーダによって復号、Ａ／Ｄ変換それぞれのデコード処理が施されるが、両放送の受信復調のデコード処理に１個のデコーダを共用し、前記チューナの受信チャンネルのデジタル受信復調出力又はアナログ受信復調出を後段のデジタル表示処理に必要なデジタルビデオ信号にデコード処理することも提案されている（例えば、特許文献１参照）。
【０００４】
ところで、この種のテレビ受信装置は、通常、Ｄ端子、ＡＶ端子等のアナログ外部ビデオ信号の入力端子部を備える。更に、受信番組等の２画面表示の機能を備えたものもある。
【０００５】
そして、アナログ外部ビデオ信号の入力端子部を備える場合は、デジタル放送及びアナログ放送の受信復調出力のデコード処理に共用されるデコーダだけでなく、アナログ外部ビデオ信号を前記デジタル処理に必要なデジタルビデオ信号にＡ／Ｄ変換するデコーダも必要になる。又、アナログ放送を受信復調するチューナを追加して２画面表示の機能も備える場合は、追加したチューナのアナログ受信復調出力をデコード処理してデジタルビデオ信号にＡ／Ｄ変換するデコーダも必要になる。
【０００６】
すなわち、アナログ外部ビデオ信号の入力端子部及び２画面表示の機能を備えた従来のこの種のテレビ受信装置は、概略図３に示すように構成される。
【０００７】
図３はいわゆるテレビジョン受信機を構成するディスプレイ装置一体型のテレビ受信装置１ａを示し、その受信部２ａは、デジタル放送及びアナログ放送の受信復調が可能なデジタルチューナ３ａと、２画面表示用のアナログ放送を受信復調するアナログチューナ４とを備える。
【０００８】
そして、デジタルチューナ３ａは、受信チャンネルのデジタル放送のテレビ信号を受信復調してトランスポートストリーム（ＴＳ）のデジタル受信復調出力を形成するデジタル受信復調回路５と、受信チャンネルのアナログ放送のテレビ信号を受信復調してコンポジットのアナログ復調ビデオ信号のアナログ受信復調出力を形成するアナログ受信復調回路６と、両復調回路５、６の出力信号が入力される共用デコーダ（ビデオデコーダ）７ａとを内蔵する。
【０００９】
前記共用デコーダ７ａは周知のＭＰＥＧデコータの機能及びデジタルデコーダの機能を有する。そして、デジタル放送の受信によって前記トランスポートストリームのデジタル受信復調出力が入力されたときは、該デジタル受信復調出力を例えばＹ、Ｃｒ、Ｃｂのコンポーネントのデジタルビデオ信号に復号して出力する。又、アナログ放送の受信によって前記コンポジットのアナログ復調ビデオ信号が入力されたときは、そのアナログビデオ信号を例えばＹ、Ｃｒ、Ｃｂのコンポーネントのデジタルビデオ信号にＡ／Ｄ変換して出力する。
【００１０】
一方、アナログチューナ４はアナログ受信復調回路６と同様の構成のアナログ受信復調回路８を備え、アナログ放送のテレビ信号を受信復調してコンポジットのアナログ復調ビデオ信号を出力する。
【００１１】
そして、アンテナ受信又はケーブル入力のＲＦ信号がデジタルチューナ３aの受信復調回路５、６及びアナログチューナ４のアナログ受信復調回路８に分配入力される。
【００１２】
このとき、受信放送の１画面表示を行なう通常の１画面受信表示モードであれば、図示省略したシステム制御部の選局制御により、デジタルチューナ３ａがアナログチューナ４に優先して動作し、受信チャンネルのデジタル放送又はアナログ放送の受信復調処理を実行する。
【００１３】
そして、選択された受信チャンネルがデジタル放送のチャンネルであれば、デジタル受信復調回路５の当該受信チャンネルのデジタル受信復調出力に基づく前記コンポーネントのデジタルビデオ信号が共用デコーダ７ａから出力される。
【００１４】
又、選択された受信チャンネルがアナログ放送であれば、アナログ受信復調回路６の当該受信チャンネルのアナログ復調ビデオ信号に基づく前記コンポーネントのデジタルビデオ信号が共用デコーダ７ａから出力される。
【００１５】
一方、受信放送の２画面表示を行う２画面受信表示モードが選択されたときには、アナログチューナ４の受信チャンネルの選択が可能になり、いわゆる第二画面のチャンネル選択に基づく前記システム制御部の選局制御により、アナログチューナ４が動作して選択された受信チャンネルのアナログ放送の受信復調処理を実行し、アナログ受信復調回路８の受信チャンネルのコンポジットのアナログ復調出力がアナログチューナ４から出力される。
【００１６】
次に、チューナ３ａ、４の出力信号は、受信部２ａの後段の映像処理部９ａに設けられた信号選択部１０ａの入力ポートｐａ、ｐｂに入力される。尚、信号選択部１０ａは例えば多数個のアナログスイッチ回路で構成されたマルチ入出力タイプの信号スイッチ回路ＩＣからなる。
【００１７】
又、映像処理部９ａにＤ端子、ＡＶ端子等からなるアナログ外部ビデオ信号の入力端子部１１が設けられ、例えば他のＤＶＤプレーヤ、ＤＶＤレコーダの再生出力等のコンポーネント又はコンポジットのアナログ外部ビデオ信号が入力端子部１１から信号選択部１０ａの入力ポートｐｃに入力される。
【００１８】
そして、通常は前記システム制御部の受信放送の１画面表示モードの信号選択制御により、信号選択部１０ａの入力ポートｐａと出力ポートｐｄとの間のスイッチＳａがオンし、デジタルチューナ３ａの前記コンポーネントのデジタルビデオ信号が信号選択部１０ａの出力ポートｐｄから後段のデジタル表示処理回路部１２に出力される。
【００１９】
デジタル表示処理回路部１２は、前記システム制御部の表示処理の制御にしたがって動作し、受信放送の１画面表示モードのときには、デジタルチューナ３ａからの前記コンポーネントのデジタルビデオ信号に走査変換、ＲＧＢの３原色信号への変換等の液晶ディスプレイ、プラズマディスプレイ等の薄型表示パネルのディスプレイ装置１３の表示駆動に必要な周知のデジタル処理を施し、受信放送の１画面表示の表示駆動信号を形成する。
【００２０】
そして、前記表示駆動信号をディスプレイ装置１３に供給し、ディスプレイ装置１３にデジタルチューナ３ａの受信チャンネルのデジタル放送又はアナログ放送を１画面表示する。
【００２１】
次に、外部入力の１画面表示モードが選択されると、信号選択部１０ａのスイッチＳａがオフして入力ポートｐｃと出力ポートｐｅとの間のスイッチＳｂがオンし、入力端子部１１のアナログ外部ビデオ信号が信号選択部１０ａの出力ポートｐｅから映像処理部９ａに設けられたビデオデコーダ１４に出力される。
【００２２】
ビデオデコーダ１４は共用デコーダ７ａのアナログ受信ビデオ信号の受信復調機能と同様のアナログビデオ信号の復調機能を有し、入力されたコンポーネント又はコンポジットのアナログ外部ビデオ信号をＹ、Ｃｒ、Ｃｂのコンポーネントのデジタルビデオ信号にＡ／Ｄ変換してデジタル表示処理回路部１２に出力する。
【００２３】
そして、デジタル表示処理回路部１２が前記と同様にしてビデオデコーダ１４からの前記コンポーネントのデジタルビデオ信号にデジタル処理を施し、アナログ外部ビデオ信号に基づく１画面表示の表示駆動信号を形成してディスプレイ装置１３に供給し、外部入力を１画面表示する。
【００２４】
次に、受信放送の２画面表示モードが選択されると、信号選択部１０ａのスイッチＳｂがオフし、スイッチＳａ及び、入力ポートｐｂと出力ポートｐｆとの間のスイッチＳｃがオンする。
【００２５】
そして、スイッチＳｃのオンにより、アナログチューナ４の受信チャンネルのコンポジットのアナログ復調ビデオ信号が信号選択部１０ａの入力ポートｐｂ、出力ポートｐｆを通ってビデオデコーダ１５に入力される。
【００２６】
ビデオデコーダ１５もビデオデコーダ１４と同様の構成であり、入力されたアナログ復調ビデオ信号をＹ、Ｃｒ、Ｃｂのコンポーネントのデジタルビデオ信号にＡ／Ｄ変換し、第二画面の信号としてデジタル表示処理回路部１２に出力する。
【００２７】
したがって、受信放送の２画面表示モードにおいては、デジタル表示処理回路部１２に、信号選択部１０ａを通ったデジタルチューナ３ａの受信放送のコンポーネントのデジタルビデオ信号が第一画面の信号として入力され、ビデオデコーダ１５でＡ／Ｄ変換されたアナログチューナ４の受信放送のコンポーネントのデジタルビデオ信号が第二画面の信号として入力される。
【００２８】
そして、デジタル表示処理回路部１２は、周知の２画面表示のデジタル処理により、入力された第一、第二画面のデジタルビデオ信号を、走査変換、ＲＧＲの３原色信号への変換等を施した後、画面圧縮して合成し、２画面表示の表示駆動信号を形成してディスプレイ装置１３に供給する。
【００２９】
ディスプレイ装置１３は、デジタル表示処理回路部１２の２画面表示の表示駆動信号に基づいて選択された２チャンネルの受信放送を２画面表示する。
【００３０】
次に、受信放送と外部入力との２画面表示モードが選択されると、選択されたチャンネルの受信放送がアナログ放送の場合、例えば、外部入力の画面を第一画面、受信放送の画面を第二画面とするため、アナログチューナ４が優先的に動作し、信号選択部１０ａはスイッチＳａがオフしてスイッチＳｂ、Ｓｃがオンする。
【００３１】
そして、ビデオデコーダ１４の外部入力の第一画面のデジタルビデオ信号と、ビデオデコーダ１５の受信放送の第二画面のデジタルビデオ信号とがデジタル表示処理回路部１２に入力される。
【００３２】
そして、デジタル表示処理回路部１２の２画面表示のデジタル処理に基づいて両デジタルビデオ信号を合成した２画面表示の表示駆動信号が形成され、該表示駆動信号によってディスプレイ装置１３が選択されたチャンネルの受信放送（アナログ放送）と外部入力とを２画面表示する。
【００３３】
ところで、受信放送と外部入力との２画面表示モードにおいて、選択されたチャンネルの受信放送がデジタル放送になる場合は、受信可能なデジタルチューナ３ａが動作し、受信放送の画面が第一画面、外部入力の画面が第二画面になる。又、信号選択部１０ａのスイッチＳｃがオフしてスイッチＳａ、Ｓｂがオンする。
【００３４】
そのため、デジタル表示処理回路部１２に、デジタルチューナ３ａから出力された受信番組のデジタルビデオ信号が第一画面の信号として入力され、ビデオデコーダ１４でＡ／Ｄ変換されたアナログ外部ビデオ信号の外部入力の第二画面のデジタルビデオ信号とが入力される。
【００３５】
そして、デジタル表示処理回路部１２の２画面表示のデジタル表処理により２画面表示の表示駆動信号が形成され、該表示駆動信号によってディスプレイ装置１３が選択されたチャンネルの受信放送（デジタル放送）と外部入力とを２画面表示する。
【特許文献１】特開２００６−２４６２４８号公報（要約書、段落［００２４］−［００３５］、図２等）
【発明の開示】
【発明が解決しようとする課題】
【００３６】
前記図３の従来のテレビ受信装置１ａの場合、入力端子部１１のアナログ外部ビデオ信号に基づく外部入力の画面表示を行なうために、映像処理部９ａにアナログ外部ビデオ信号をＡ／Ｄ変換する専用のビデオデコーダ１４が設けられる。又、２画面表示の機能も備えるために、映像処理部９ａに更にビデオデコーダ１５も設けられる。
【００３７】
この場合、映像処理部９ａに２個のビデオデコーダ１４、１５を設ける必要があり、テレビ受信装置１ａ全体では、受信部２ａの共用デコーダ７ａと併せて合計３個ものデコーダを要し、テレビ受信装置１ａの部品点数が多くなって構成の簡素化及びコストダウンを図ることができない問題がある。
【００３８】
そして、アナログチューナ４、ビデオデコーダ１５を省いて２画面表示の機能を備えない構成であっても、入力端子部１１のアナログ外部ビデオ信号に基づく外部入力の画面を表示する場合、映像処理部９ａにビデオデコーダ１４を設ける必要があり、この場合にも、テレビ受信装置１ａ全体では、受信部２ａの共用デコーダ７ａとビデオデコーダ１４との合計２個のデコーダが必要になり、テレビ受信装置１ａの部品点数が多くなって構成の簡素化及びコストダウンを図ることができない問題がある。
【００３９】
本発明は、この種のテレビ受信装置において、前記アナログ外部ビデオ信号のデジタル処理に必要なＡ／Ｄ変換が専用のデコーダを設けないで行なえるようにして部品点数を少なくし、構成を簡素化してコストダウンを図ることを目的とする。
【課題を解決するための手段】
【００４０】
上記した目的を達成するために、本発明のテレビ受信装置は、受信部に、デジタル放送の受信復調出力をデジタルビデオ信号に復号し、アナログ放送の受信復調出力をデジタルビデオ信号にＡ／Ｄ変換する共用デコーダを内蔵し、受信チャンネルのデジタル放送又はアナログ放送のデジタルビデオ信号を出力するデジタルチューナを備え、前記受信部の後段の映像処理部に、アナログ外部ビデオ信号の入力端子部と、前記デジタルチューナの受信復調出力の前記共用デコーダへの入力が停止する表示出力状態時に前記両放送の受信復調出力に代えて前記入力端子部の前記アナログ外部ビデオ信号を前記共用デコーダに入力し、前記アナログ外部ビデオ信号をデジタルビデオ信号にＡ／Ｄ変換して前記デジタルチューナから出力させる信号選択部と、前記デジタルチューナの出力信号が前記信号選択部を通って入力され、前記出力信号をデジタル処理してディスプレイ装置の表示駆動出力を形成するデジタル表示処理回路部とを備えたことを特徴としている（請求項１）。
【００４１】
本発明のテレビ受信装置は、２画面表示の機能も備えるため、受信部に、デジタル放送の受信復調出力をデジタルビデオ信号に復号し、アナログ放送の受信復調出力をデジタルビデオ信号にＡ／Ｄ変換する共用デコーダを内蔵し、受信チャンネルのデジタル放送又はアナログ放送のデジタルビデオ信号を出力するデジタルチューナと、アナログ放送を受信復調してアナログ復調ビデオ信号を出力するアナログチューナとを備え、前記受信部の後段の映像処理部に、アナログ外部ビデオ信号の入力端子部と、少なくとも前記アナログ復調ビデオ信号をデジタルビデオ信号にＡ／Ｄ変換して出力する第二のデコーダと、前記デジタルチューナの受信復調出力の前記共用デコーダへの入力が停止して前記アナログチューナの受信放送と前記アナログ外部ビデオ信号に基づく外部入力との２画面を表示する表示出力状態時に、前記入力端子部の前記アナログ外部ビデオ信号を前記共用デコーダに入力し、外部入力のデジタルビデオ信号にＡ／Ｄ変換して前記デジタルチューナから出力させると共に、前記アナログチューナの前記アナログ復調ビデオ信号を前記第二のデコーダに入力し、受信放送のデジタルビデオ信号にＡ／Ｄ変換して前記第二のデコーダから出力させる信号選択部と、少なくとも前記２画面を表示する表示出力状態時に、前記第二のデコーダの受信放送の出力信号と前記信号選択部を通った前記デジタルチューナの外部入力の出力信号とをデジタル処理して合成し、前記ディスプレイ装置の２画面表示の表示駆動出力を形成するデジタル表示処理回路部とを備えたことを特徴としている（請求項２）。
【００４２】
更に、本発明のテレビ受信装置は、請求項２に係るテレビ受信装置において、前記デジタルチューナの受信復調出力の前記共用デコーダへの入力が停止して前記アナログ外部ビデオ信号に基づく外部入力の１画面の表示出力状態時に、前記信号選択部により前記入力端子部の前記アナログ外部ビデオ信号を前記共用デコーダに入力して外部入力のデジタルビデオ信号にＡ／Ｄ変換し、前記信号選択部を通った前記デジタルチューナの外部入力の出力信号を前記デジタル表示処理回路部によりデジタル処理して前記ディスプレイ装置の１画面表示の表示駆動出力を形成するようにしたことを特徴としている（請求項３）。
【００４３】
更に、本発明のテレビ受信装置は、請求項２又は３に係るテレビ受信装置において、前記デジタルチューナの受信放送と前記アナログ外部ビデオ信号に基づく外部入力との２画面を表示する表示出力状態時に、前記信号選択部により前記入力端子部の前記アナログ外部ビデオ信号を前記第二のデコーダに入力してデジタルビデオ信号にＡ／Ｄ変換し、前記信号選択部を通った前記デジタルチューナの受信放送の出力信号と前記第二のデコーダの外部入力の出力信号とを前記デジタル表示処理回路部に入力し、前記デジタル表示処理回路部により前記デジタルチューナの受信放送の出力信号と前記第二のデコーダの外部入力の出力信号とをデジタル処理して合成し、前記ディスプレイ装置の２画面表示の表示駆動出力を形成するようにしたことを特徴としている（請求項４）。
【発明の効果】
【００４４】
請求項１の発明によれば、デジタルチューナの受信復調出力の共用デコーダへの入力が停止する表示出力状態時、すなわち、デジタルチューナの受信復調出力を停止し、デジタルチューナの受信放送に代えて外部入力の表示出力を行なう表示出力状態時に、信号選択部により、デジタルチューナの受信復調出力に代えて、入力端子部のアナログ外部ビデオ信号がデジタルチューナの共用デコーダに入力される。
【００４５】
そして、アナログ外部ビデオ信号が共用デコーダによってＡ／Ｄ変換されてデコード処理され、このデコード処理によってアナログ外部ビデオ信号のデジタルビデオ信号が形成される。
【００４６】
更に、デジタルチューナから出力された前記アナログ外部ビデオ信号のデジタルビデオ信号がデジタル表示処理回路部でデジタル処理されてディスプレイ装置の表示駆動出力が形成され、該表示駆動出力によってディスプレイ装置に外部入力である前記アナログ外部ビデオ信号の１画面表示が行なわれる。
【００４７】
したがって、入力端子部の外部入力であるアナログ外部ビデオ信号のＡ／Ｄ変換のデコード処理を、専用のデコーダを設けることなく、デジタルチューナの共用デコーダによって行なうことができ、部品点数を少なくして構成を簡素化しコストダウンを図ることができる。
【００４８】
請求項２の発明によれば、アナログチューナの受信放送とアナログ外部ビデオ信号に基づく外部入力との２画面表示の表示出力状態時に、デジタルチューナの受信復調出力の前記共用デコーダへの入力が停止し、信号選択部により、デジタルチューナの受信復調出力に代えて、入力端子部のアナログ外部ビデオ信号がデジタルチューナの共用デコーダに入力され、デジタルビデオ信号にＡ／Ｄ変換される。
【００４９】
更に、信号選択部により、アナログチューナの受信放送のアナログ復調ビデオ信号が第二のデコーダに入力されてデジタルビデオ信号に変換される。
【００５０】
そして、信号選択部を介した前記共用デコーダの外部入力のデジタルビデオ信号と、第二のデコーダから出力されたアナログチューナの受信放送のデジタルビデオ信号とがデジタル表示処理回路部に入力され、デジタル処理されて合成され、２画面表示の表示駆動出力が形成され、該表示駆動出力によってディスプレイ装置にアナログチューナの受信放送と入力端子部のアナログ外部ビデオ信号に基づく外部入力の２画面を表示することができる。
【００５１】
したがって、アナログチューナの受信放送とアナログ外部ビデオ信号に基づく外部入力との２画面表示の表示出力を行なう際に、入力端子部の外部入力であるアナログ外部ビデオ信号のＡ／Ｄ変換のデコード処理を、専用のデコーダを設けることなく、デジタルチューナの共用デコーダによって行なうことができ、部品点数を少なくして構成を簡素化しコストダウンを図ることができる。
【００５２】
請求項３の発明によれば、請求項２の構成において、外部入力の１画面を表示する表示出力状態時には、信号選択部により、入力端子部のアナログ外部ビデオ信号が前記共用デコーダに入力されて外部入力のデジタルビデオ信号にＡ／Ｄ変換され、そのデジタルビデオ信号が、信号選択部を介してデジタル表示処理回路部に入力される。
【００５３】
そして、デジタル表示処理回路部によりデジタルチューナの外部入力の出力信号がデジタル処理されてディスプレイ装置の１画面表示の表示駆動出力が形成され、該表示駆動出力によってディスプレイ装置に入力端子部のアナログ外部ビデオ信号に基づく外部入力の１画面表示が行なえる。
【００５４】
したがって、請求項２の構成に新たな部品等を追加することなく、アナログ外部ビデオ信号に基づく外部入力の１画面表示の表示出力も行なえる。
【００５５】
請求項４の発明によれば、請求項２又は３の構成において、デジタルチューナの受信放送とアナログ外部ビデオ信号に基づく外部入力との２画面を表示する表示出力状態時には、信号選択部により、入力端子部のアナログ外部ビデオ信号が前記第二のデコーダに入力されて外部入力のデジタルビデオ信号にＡ／Ｄ変換される。
【００５６】
そして、信号選択部を通ったデジタルチューナの受信放送のデジタルビデオ信号と第二のデコーダの外部入力のデジタルビデオ信号とがデジタル表示処理回路部に入力される。
【００５７】
更に、デジタル表示処理回路部により両デジタルビデオ信号がデジタル処理されて合成され、ディスプレイ装置の２画面表示の表示駆動出力が形成され、該表示駆動出力によってディスプレイ装置にデジタルチューナの受信放送とアナログ外部ビデオ信号に基づく外部入力の２画面表示が行なえる。
【００５８】
したがって、請求項２又は３の構成に新たな部品等を追加することなく、デジタルチューナの受信放送とアナログ外部ビデオ信号に基づく外部入力との２画面表示の表示出力も行なえる。
【発明を実施するための最良の形態】
【００５９】
次に、本発明をより詳細に説明するため、その実施形態について、図１及び図２にしたがって詳述する。
【００６０】
（一実施形態）
図１を参照して、請求項２乃至４に対応する一実施形態について説明する。
【００６１】
図１は図３のテレビ受信装置１ａに対応するディスプレイ装置一体型のテレビ受信装置１Ａを示し、同図において、図３と同一符号は同一若しくは相当するものを示す。
【００６２】
テレビ受信装置１Ａは受信部２Ａ、映像処理部９Ａ及びディスプレイ装置１５を備える。
【００６３】
受信部２Ａが図３の受信部２ａと異なる点は、図３のデジタルチューナ３ａに代えてデジタルチューナ３Ａが設けられている点である。
【００６４】
デジタルチューナ３Ａは図３のデジタルチューナ３ａの共用デコーダ７ａに代えて、受信復調回路５、６の入力ポートα、β及びアナログ外部ビデオ信号の入力ポートγを有する共用デコーダ７Ａを内蔵して形成される。
【００６５】
受信部２Ａの後段の映像処理部９Ａが図３の映像処理部９ａと異なる点は、図３の信号選択部１０ａに代えて信号選択部１０Ａが設けられ、図３のビデオデコーダ１４は省かれている点である。尚、ビデオデコーダ１５が本発明の第二のデコーダである。
【００６６】
信号選択部１０Ａは図３の信号選択部１０ａと同様にマルチ入出力タイプの信号スイッチ回路ＩＣからなり、入力ポートｐ１と出力ポートｐ２の間に図３のスイッチＳａに対応するスイッチＳ１が設けられ、入力ポートｐ３と出力ポートｐ４の間に図３のスイッチＳｃに対応するスイッチＳ２が設けられる。
【００６７】
尚、入力ポートｐ１は共用デコーダ７Ａの出力ポートδに接続され、出力ポートｐ２はデジタル表示処理回路部１２に接続されている。又、入力ポートｐ３はアナログチューナ４のアナログ受信復調回路８に接続され、出力ポートｐ４はビデオデコーダ１５に接続されている。
【００６８】
又、入力端子部１１に接続された入力ポートｐ５はスイッチＳ３を介して出力ポートｐ６に接続され、出力ポートｐ６は共用デコーダ７Ａの入力ポートγに接続されている。
【００６９】
更に、入力ポートｐ７、出力ポートｐ８間のスイッチＳ４は、表示機能を更に向上する場合に破線に示すように、一端が入力ポートｐ７を介して入力端子部１１に接続され、他端が出力ポートｐ８を介してビデオデコーダ１５に接続される。
【００７０】
以上の構成に基づき、テレビ受信装置１Ａは次に説明するように動作する。
【００７１】
アンテナ受信又はケーブル入力のＲＦ信号がデジタルチューナ３Ａの受信復調回路５、６及びアナログチューナ４のアナログ受信復調回路８に分配入力される。
【００７２】
このとき、受信放送の１画面表示を行なう通常の１画面表示モードであれば、図示省略したシステム制御部の選局制御により、デジタルチューナ３Ａがアナログチューナ４に優先して動作し、選択されたチャンネルのデジタル放送又はアナログ放送の受信復調処理を実行する。
【００７３】
そして、選択されたチャンネルがデジタル放送であればデジタル受信復調回路５の受信復調出力に基づくデジタル放送の前記コンポーネントのデジタルビデオ信号が共用デコーダ７Ａから出力され、選択されたチャンネルがアナログ放送であればアナログ受信復調回路６のアナログ復調出力に基づくアナログ放送の前記コンポーネントのデジタルビデオ信号が共用デコーダ７Ａから出力される。
【００７４】
又、受信放送の２画面表示モード等の２画面表示のモードが選択されたときには、アナログチューナ４のチャンネル選択が可能になり、このチャンネル選択によって第二画面の受信チャンネルが選択されると、前記システム制御部の選局制御により、アナログチューナ４が動作して選択されたチャンネルのアナログ放送の受信復調処理を実行し、アナログ受信復調回路８の選択された受信チャンネルのコンポジットのアナログ復調ビデオ信号がアナログチューナ４から出力される。
【００７５】
チューナ３Ａ、４の出力信号は、映像処理部９Ａに設けられた信号選択部１０Ａの入力ポートｐ１、ｐ３に入力される。
【００７６】
又、例えば他のＤＶＤプレーヤ、ＤＶＤレコーダの再生出力等のコンポーネント又はコンポジットのアナログ外部ビデオ信号が入力端子部１１から信号選択部１０Ａの入力ポートｐ５に入力される。
【００７７】
そして、表示モードの切り替えに基づく、信号選択部１０ＡのスイッチＳ１〜Ｓ４のオン、オフに基づく信号選択により、デジタル表示処理回路部１２の入力等が以下のように変化する。
【００７８】
（受信放送の１画面表示モード）
前記システム制御部による受信放送の１画面表示モードの信号選択制御により、信号選択部１０ＡのスイッチＳ１がオンし、デジタルチューナ３Ａの受信放送のコンポーネントのデジタルビデオ信号が信号選択部１０Ａの出力ポートｐ２から後段のデジタル表示処理回路部１２に出力される。
【００７９】
デジタル表示処理回路部１２は、前記システム制御部の表示処理の制御にしたがって動作し、本表示モードのときはデジタルチューナ３Ａからのデジタルビデオ信号に走査変換、ＲＧＲの３原色信号への変換等のデジタル処理を施し、受信放送の１画面表示の表示駆動信号を形成する。
【００８０】
そして、前記受信放送の１画面表示の表示駆動信号表示駆動信号をディスプレイ装置１３に供給し、ディスプレイ装置１３にデジタルチューナ３Ａの受信放送の１画面表示を行なわせる。
【００８１】
（受信放送の２画面表示モード）
受信放送の２画面表示モードが選択されると、信号選択部１０ＡのスイッチＳ１、Ｓ２がオンする。
【００８２】
そして、スイッチＳ１のオンにより、受信放送の１画面表示モードの場合と同様にして、デジタルチューナ３Ａの受信放送のコンポーネントのデジタルビデオ信号が信号選択部１０Ａの出力ポートｐ２から後段のデジタル表示処理回路部１２に第一画面のデジタルビデオ信号信号として出力される。
【００８３】
又、スイッチＳ２のオンにより、アナログチューナ４の受信放送のアナログ復調ビデオ信号が信号選択部１０Ａの出力ポートｐ４からビデオデコーダ１５に送られる。ビデオデコーダ１５はアナログ復調ビデオ信号をＹ、Ｃｒ、Ｃｂのコンポーネントのデジタルビデオ信号にＡ／Ｄ変換し、第二画面のデジタルビデオ信号としてデジタル表示処理回路部１２に出力する。
【００８４】
デジタル表示処理回路部１２は、信号選択部１０Ａを通ったデジタルチューナ３Ａの受信放送の第一画面のデジタルビデオ信号と、ビデオデコーダ１５でＡ／Ｄ変換されたアナログチューナ４の受信放送の第二画面のデジタルビデオ信号とを、走査変換、ＲＧＲの３原色信号への変換等を施した後、画面圧縮して合成し、受信放送の２画面表示の表示駆動信号を形成してディスプレイ装置１３に供給する。
【００８５】
そして、デジタル表示処理回路部１２の２画面表示の表示駆動信号により、ディスプレイ装置１３が選択された２チャンネルの受信放送を２画面表示する。
【００８６】
（受信放送と外部入力との２画面表示モード）
（Ａ）アナログチューナ４の受信放送と外部入力との２画面表示モード
受信番組と外部入力の２画面表示モードが選択されると、原則的に、信号選択部１０ＡのスイッチスイッチＳ１〜Ｓ３がオンする。
【００８７】
ところで、本表示モードの表示出力状態時には、前記システム制御部の選局制御により、デジタルチューナ３Ａの受信復調回路５、６の出力がオフするか、共用デコーダ７Ａの入力ポートα、βが入力禁止に制御される。そのため、デジタルチューナ３Ａは受信復調出力の共用デコーダ７Ａへの入力が停止する。
【００８８】
そして、入力端子部１１のアナログ外部ビデオ信号が信号選択部１０Ａの入力ポートｐ５から出力ポートｐ６を通って共用デコーダ７Ａの入力ポートγに送られる。
【００８９】
このとき、共用デコーダ７Ａはアナログ受信復調回路６の受信復調出力と同様にして、入力ポートγのアナログ外部ビデオ信号をコンポーネントの第一画面のデジタルビデオ信号にＡ／Ｄ変換し、該デジタルビデオ信号を信号選択部１０Ａの入力ポートｐ１、出力ポートｐ２を介してデジタル表示処理回路部１２に出力する。
【００９０】
一方、２画面表示のモードであるため、アナログチューナ４が動作してアナログ受信復調回路８が選択されたチャンネルの受信放送のアナログ復調ビデオ信号を出力し、該アナログ復調ビデオ信号信号は信号選択部１０Ａの入力ポートｐ３、出力ポートｐ４を通ってビデオデコーダ１５に入力される。
【００９１】
ビデオデコーダ１５は、入力されたアナログ復調ビデオ信号をＡ／Ｄ変換して第二画面のデジタルビデオ信号を形成し、該デジタルビデオ信号をデジタル表示処理回路部１２に出力する。
【００９２】
そして、デジタル表示処理回路部１２は、２画面表示のデジタル処理により、入力された第一、第二画面のデジタルビデオ信号を、走査変換、ＲＧＲの３原色信号への変換等を施した後、画面圧縮して合成し、２画面表示の表示駆動信号を形成してディスプレイ装置１３に供給する。
【００９３】
尚、本発明の「２画面表示」は、２画面の並列表示及び、いわゆるピクチャ・イン・ピクチャの表示を含み、デジタル表示処理回路部１２は２画面表示の表示方法の指定等に基づき、前記合成によって前記２画面の並列表示、前記ピクチャ・イン・ピクチャの表示の処理を選択的に行なう。
【００９４】
ディスプレイ装置１３は、デジタル表示処理回路部１２の２画面表示の表示駆動信号に基づいて、アナログチューナ４の受信放送の画面と外部入力の画面とを２画面表示する。
【００９５】
（Ｂ）デジタルチューナ３Ａの受信放送と外部入力との２画面表示モード
本表示モードは信号選択部１０ＡがスイッチＳ４を有する場合にのみ実行されるモードであり、予め図１の破線の入力端子部１１からスイッチＳ４を介してビデオデコーダ１５に至る配線が施される。
【００９６】
そして、受信番組と外部入力の２画面表示モードが選択されたときに、例えば受信放送がデジタル放送であったり、デジタルチューナ３Ａのチャンネル選択が優先される設定であった場合等には、受信放送とアナログ外部ビデオ信号に基づく外部入力との２画面を表示するため、前記システム制御部により、デジタルチューナ３Ａの受信放送と外部力の２画面表示モードの制御が実行され、信号選択部１０ＡはスイッチスイッチＳ１、Ｓ４がオンし、スイッチＳ２、Ｓ３がオフする。
【００９７】
又、デジタルチューナ３Ａの受信放送と前記アナログ外部ビデオ信号に基づく外部入力との２画面を表示する本表示モードの表示出力状態時には、前記システム制御部の選局制御により、デジタルチューナ３Ａの受信復調回路５、６の出力が共用デコーダ７Ａに入力されデコード処理される。
【００９８】
そして、例えば選択されたチャンネルのデジタル放送のコンポーネントのデジタルビデオ信号がデジタルチューナ３Ａから信号選択部１０Ａの出力ポートｐ２から後段のデジタル表示処理回路部１２に第一画面のデジタルビデオ信号として出力される。
【００９９】
一方、入力端子部１１のアナログ外部入力ビデオ信号は信号選択部１０Ａの入力ポートｐ７、スイッチＳ４を通り、出力ポートｐ８からビデオデコーダ１５に入力される。
【０１００】
そして、ビデオデコーダ１５は、周知のビデオデコーダと同様にコンポジット及びコンポーネントのアナログビデオ信号をＡ／Ｄ変換するデコード処理機能を有し、入力されたアナログ外部入力ビデオ信号をＡ／Ｄ変換して第二画面のデジタルビデオ信号を形成し、該デジタルビデオ信号をデジタル表示処理回路部１４に出力する。
【０１０１】
そして、デジタル表示処理回路部１２は、２画面表示のデジタル処理により、入力された第一、第二画面のデジタルビデオ信号を、走査変換、ＲＧＲの３原色信号への変換等を施した後、画面圧縮して合成し、２画面表示の表示駆動信号を形成してディスプレイ装置１３に供給する。
【０１０２】
ディスプレイ装置１３は、デジタル表示処理回路部１２の２画面表示の表示駆動信号に基づいて、デジタルチューナ３Ａの受信放送の画面と外部入力の画面とを２画面表示する。
【０１０３】
（外部入力の１画面表示モード）
本表示モードが選択されたときは、信号選択部１０ＡのスイッチＳ２はオフしてスイッチＳ１、Ｓ３がオンする。
【０１０４】
尚、本表示モードにおいては信号選択部１０ＡのスイッチＳ４は不要である。そして、破線の配線が施されている場合は、スイッチＳ４は前記デジタルチューナ３Ａの受信放送と外部力の２画面表示モード以外の他の表示モードの場合と同様にオフしている。
【０１０５】
又、本表示モードが選択されてアナログ外部ビデオ信号に基づく外部入力の１画面を表示する場合は、デジタルチューナ３Ａの受信復調出力は不要である。
【０１０６】
そこで、本表示モードにおいても、アナログチューナ４の受信放送と外部入力との２画面表示モードの場合と同様、前記システム制御部の選局制御により、デジタルチューナ３Ａの受信復調回路５、６の出力がオフするか、共用デコーダ７Ａの入力ポートα、βが入力禁止に制御され、デジタルチューナ３Ａは受信復調出力の共用デコーダ７Ａへの入力を停止する。
【０１０７】
そして、アナログチューナ４の受信放送と外部入力との２画面表示モードの場合と同様に、入力端子部１１のアナログ外部ビデオ信号が信号選択部１０Ａの入力ポートｐ５から出力ポートｐ６を通って共用デコーダ７Ａの入力ポートγに送られ、共用デコーダ７Ａが入力ポートγのアナログ外部ビデオ信号をコンポーネントの第一画面のデジタルビデオ信号にＡ／Ｄ変換し、該デジタルビデオ信号を信号選択部１０Ａの入力ポートｐ１、出力ポートｐ２を介してデジタル表示処理回路部１２に出力する。
【０１０８】
デジタル表示処理回路部１２は、受信放送の１画面表示モードの場合と同様に動作し、デジタルチューナ３Ａからの外部入力のデジタルビデオ信号に走査変換、ＲＧＲの３原色信号への変換等のデジタル処理を施し、外部入力の１画面表示の表示駆動信号を形成する。
【０１０９】
そして、前記外部入力の１画面表示の表示駆動信号表示駆動信号をディスプレイ装置１３に供給し、ディスプレイ装置１３にアナログ外部入力ビデオ信号に基づく外部入力の１画面表示を行なわせる。
【０１１０】
したがって、上記一実施形態のテレビ受信装置１Ａは、アナログチューナ４の受信放送とアナログ外部ビデオ信号に基づく外部入力との２画面表示の表示出力を行なう際に、入力端子部１１の外部入力であるアナログ外部ビデオ信号のＡ／Ｄ変換のデコード処理を、専用のデコーダを設けることなく、デジタルチューナ３Ａの共用デコーダ７Ａによって行なうことができ、図３のビデオデコーダ１４が省け、部品点数を少なくして構成を簡素化しコストダウンを図ることができる。
【０１１１】
しかも、その構成のままで、入力端子部１１のアナログ外部ビデオ信号に基づくディスプレイ装置１３の１画面表示の表示駆動出力を形成し、該表示駆動出力によってディスプレイ装置１３に入力端子部１１のアナログ外部ビデオ信号に基づく外部入力の１画面表示を行なわせることもできる。更に、デジタルチューナ３Ａの受信放送とアナログ外部ビデオ信号に基づく外部入力との２画面表示の表示出力も行なえる。その上、受信放送の１画面表示、２画面表示の表示出力も行なえる。
【０１１２】
したがって、従来装置１ａより部品点数が少なく、構成でコストダウンを図った構成により、従来装置１ａと同じようにアナログ外部ビデオ信号の入力端子部１１及び２画面表示の機能を備えて種々の表示モードの表示出力を形成できる。
【０１１３】
尚、前記デジタルチューナ３Ａの受信放送と外部入力との２画面表示モードが不要な場合は、信号選択部１０ＡからスイッチＳ４が省け、破線の配線も不要であるため、一層簡素かつ安価になる。
【０１１４】
（他の実施形態）
図２を参照して、請求項１に対応する他の実施形態について説明する。
【０１１５】
図２は図１のテレビ受信装置１Ａから２画面表示の機能を省いた構成のディスプレイ装置一体型のテレビ受信装置１Ｂを示し、同図において、図１と同一符号は同一若しくは相当するものを示す。
【０１１６】
図２において、図１と異なる点は、図１の受信部２Ａに代えてデジタルチューナ３Ａのみが設けられた受信部２Ｂを備え、その後段の映像処理部９Ｂに、図３の信号選択部１０Ａに代わる信号選択部１０Ｂ及び、入力端子部１１、デジタル表示処理回路部１２を設けた点である。
【０１１７】
デジタルチューナ３Ａは共用デコーダ７Ａの出力ポートδが直接デジタル表示処理部１２に接続されている。アナログスイッチＩＣの信号選択部１０Ｂは入力ポートｐｘと出力ポートｐｙとを有し、入力ポートｐｘは内蔵のスイッチＳＷを介して出力ポートｐｙに接続されている。更に、入力端子部１１が入力ポートｐｘに接続されている。
【０１１８】
そして、本実施形態のテレビ受信装置１Ｂは、通常、デジタルチューナ３Ａの受信放送の１画面の表示出力を行なう受信放送の１画面表示モードに設定され、表示モードの切り替えにより、必要に応じて外部入力の１画面表示出力を行なう外部入力の１画面表示モードに切り替わる。
【０１１９】
（受信放送の１画面表示モード）
本表示モードにおいては、システム制御部による受信放送の１画面表示モードの信号選択制御により、信号選択部１０ＢのスイッチＳＷはオフし、デジタルチューナ３Ａの受信放送のコンポーネントのデジタルビデオ信号がデジタル表示処理回路部１２に出力される。
【０１２０】
デジタル表示処理回路部１２は、前記システム制御部の表示処理の制御にしたがって動作し、本表示モードのときはデジタルチューナ３Ａからのデジタルビデオ信号に走査変換、ＲＧＲの３原色信号への変換等のデジタル処理を施し、受信放送の１画面表示の表示駆動信号を形成する。
【０１２１】
そして、前記受信放送の１画面表示の表示駆動信号表示駆動信号をディスプレイ装置１３に供給し、ディスプレイ装置１３にデジタルチューナ３Ａの受信放送の１画面表示を行なわせる。
【０１２２】
（外部入力の１画面表示モード）
本表示モードが選択されたときは、信号選択部１０ＢのスイッチＳＷがオンする。
【０１２３】
又、本表示モードが選択されるときには、デジタルチューナ３Ａの受信復調出力は不要であるため、前記システム制御部の選局制御により、デジタルチューナ３Ａの受信復調回路５、６の出力がオフするか、共用デコーダ７Ａの入力ポートα、βが入力禁止に制御され、デジタルチューナ３Ａは受信復調出力の共用デコーダ７Ａへの入力が停止する。
【０１２４】
そして、入力端子部１１のアナログ外部ビデオ信号が信号選択部１０Ｂの入力ポートｐｘから出力ポートｐｙを通って共用デコーダ７Ａの入力ポートγに送られ、共用デコーダ７Ａが入力ポートγのアナログ外部ビデオ信号をコンポーネントのデジタルビデオ信号にＡ／Ｄ変換し、該デジタルビデオ信号をデジタル表示処理回路部１２に出力する。
【０１２５】
デジタル表示処理回路部１２は、受信放送の１画面表示モードの場合と同様に動作し、デジタルチューナ３Ａからの外部入力のデジタルビデオ信号に走査変換、ＲＧＲの３原色信号への変換等のデジタル処理を施し、外部入力の１画面表示の表示駆動信号を形成する。
【０１２６】
そして、前記外部入力の１画面表示の表示駆動信号表示駆動信号をディスプレイ装置１３に供給し、ディスプレイ装置１３にアナログ外部入力ビデオ信号に基づく外部入力の１画面表示を行なわせる。
【０１２７】
したがって、本実施形態の場合も、入力端子部１１の外部入力であるアナログ外部ビデオ信号のＡ／Ｄ変換のデコード処理を、専用のデコーダを設けることなく、デジタルチューナ３Ａの共用デコーダ７Ａによって行なうことができる。
【０１２８】
そして、テレビ受信装置１Ｂは、２画面表示の処理を行なわないため、図１のアナログチューナ４及びビデオデコーダ１５を備える必要がなく、装置１Ｂ内のデコーダがデジタルチューナ３Ａの共用デコーダ７Ａのみになり、部品点数が極めて少なく構成も極めて簡素化し、極めて安価な外部入力機能付きのテレビ受信装置を提供することができる。
【０１２９】
そして、本発明は上述した実施形態に限定されるものではなく、その趣旨を逸脱しない範囲において上述したもの以外に種々の変更を行なうことが可能であり、テレビ受信装置１Ａ、１Ｂが上述のディスプレイ装置別体型であってもよいのは勿論である。
【０１３０】
又、デジタルチューナ３Ａの出力信号等のデジタルビデオ信号の信号形式は、デジタル表示処理部１２で処理可能なコンポーネント、コンポジット等の種々の信号形式であってよいのも勿論である。
【０１３１】
更に、例えば前記他の実施形態のテレビ受信装置１Ｂの受信部２Ｂにデジタルチューナ３Ａと同様の第二のデジタルチューナを備え、表示モードに応じて両デジタルチューナのいずれか一方又は両方の出力信号をデジタル表示処理回路部１２に入力し、デジタル放送、アナログ放送それぞれの２画面表示出力、デジタル放送とアナログ放送との２画面表示出力、デジタル放送又はアナログ放送と外部入力との２画面表示出力が選択して行なえるようにしてもよい。
【０１３２】
そして、本発明は、この種の種々のテレビ受信装置に適用することができる。
【図面の簡単な説明】
【０１３３】
【図１】本発明の一実施形態におけるテレビ受信装置の要部の回路ブロック図である。
【図２】本発明の他の実施形態におけるテレビ受信装置の要部の回路ブロック図である。
【図３】従来装置の回路ブロック図である。
【符号の説明】
【０１３４】
２Ａ、２Ｂ    受信部
３Ａ    デジタルチューナ
４    アナログチューナ
７Ａ    共用デコーダ
９Ａ、９Ｂ    映像処理部
１０Ａ、１０Ｂ信号選択部
１２    デジタル表示処理回路部
１３    ディスプレイ装置
１５    ビデオデコーダ
【図１】
2008211297.tif 000003
【図２】
2008211297.tif 000004
【図３】
2008211297.tif 000005